(57)【要約】【課題】  シャッタ羽根の開閉動作に起因した露光ムラを安価に抑える。【解決手段】  遮光筒３０の前面には、露光開口３１が設けられている。遮光筒３０内には、写真フイルムへの入射光量を調節するＮＤフィルタ３３が設けられている。シャッタ羽根３８は、回動自在に軸着され、バネ４０によって露光開口３１を塞ぐ閉じ位置に付勢される。シャッタ駆動レバーがシャッタ羽根３８を蹴飛ばすと、バネ４０の付勢に抗してシャッタ羽根３８が露光開口３１を露呈させる開き位置に移動する。この際、シャッタ羽根３８は、露光開口３１の右上部分から露呈させ、最後に左下部分を露呈させる。ＮＤフィルタ３３には、この移動方向に沿うように、右上角部から左下角部に向けて光学濃度が徐々に低下する濃度勾配が持たされている。これにより、写真フイルムの画面四隅の露光量差を極めて少なくすることができる。【選択図】        図４
2006267691.tif 000002
【特許請求の範囲】
【請求項１】
露光開口を覆う閉じ位置と露光開口を露呈させる開き位置との間で回動自在に軸着されるシャッタ羽根と、このシャッタ羽根を前記閉じ位置側に付勢する弾性体と、この弾性体の付勢に抗して前記シャッタ羽根を弾き、前記露光開口を開閉させる駆動部材とからなる蹴飛ばし式のシャッタ機構を用いて写真フイルムの露光を行うカメラにおいて、
前記写真フイルムへの入射光量を調節するフィルタを設け、
このフィルタに、前記シャッタ羽根が前記露光開口を露呈させ始める位置から露呈し終える位置に向かう方向に沿って、光学濃度が徐々に低下する濃度勾配を持たせたことを特徴とするカメラ。
【請求項２】
前記フィルタは、光が入射する方向から見た前記写真フイルムの直前に配置されることを特徴とする請求項１記載のカメラ。
【請求項３】
前記写真フイルムを遮光する遮光筒と、
この遮光筒内の迷光を遮るフレアストッパとを設け、
前記フィルタを、前記遮光筒と前記フレアストッパとによって前記遮光筒内に挟持固定したことを特徴とする請求項２記載のカメラ。
【請求項４】
前記フィルタは、前記露光開口の露呈し始める位置に対応した箇所からの一部分にのみ前記濃度勾配を持つことを特徴とする請求項１から３のいずれか１項に記載のカメラ。
【請求項５】
前記フィルタは、前記シャッタ羽根の移動にともなう露光時間の変化に応じた前記濃度勾配を持ち、前記写真フイルムの画面四隅の露光量が均一となるように前記入射光量を調節することを特徴とする請求項１から４のいずれか１項に記載のカメラ。
【発明の詳細な説明】
【技術分野】
【０００１】
本発明は、蹴飛ばし式のシャッタ機構を備えたカメラに関する。
【背景技術】
【０００２】
未露光の写真フイルムが予め装填された１回使用型の簡易カメラであるレンズ付きフイルムユニットが知られている。このレンズ付きフイルムユニットは、シャッタ機構やフイルム巻上げ機構などの撮影機構が簡略化されて安価であることや、撮影操作が簡単であることなどを特徴としており、手軽に利用できることから一般に広く普及している。
【０００３】
レンズ付きフイルムユニットのシャッタ装置には、その構成を簡単なものとするため、回動自在に軸着されたシャッタ羽根を弾いて往復回動させる、いわゆる蹴飛ばし式が採用されている。蹴飛ばし式のシャッタ装置では、シャッタ駆動レバーに弾かれたシャッタ羽根が露光開口の面積を増大させながら開き位置に移動した後、バネの付勢力によって露光開口の面積を減少させながら閉じ位置に戻ることで、写真フイルムへの露光が行われる。このため、シャッタ羽根が開き始める位置と、開き切った位置（閉じ始める位置）とでは、露光時間が異なり、写真フイルムに露光ムラが生じてしまうという問題がある。
【０００４】
例えば、ドラム型のフォーカルプレーンシャッタなど、前述のような露光ムラが起こり得ないシャッタ装置を用いることで問題を回避することはできるが、レンズ付きフイルムユニットの大幅なコストアップや大型化を招いてしまうため、あまり現実的ではない。こうした問題を解決するため、特許文献１では、蹴飛ばし式のシャッタ装置によって撮影された露光ムラのある写真フイルムをプリント写真に現像する際に、その露光ムラに応じた補正を行うことで、レンズ付きフイルムユニットのコストアップや大型化を招くことなく良好な画質のプリント写真を得る撮影画像の補正方法を提供している。
【特許文献１】特開２００１−２６４９０４号公報
【発明の開示】
【発明が解決しようとする課題】
【０００５】
しかしながら、特許文献１に記載された撮影画像の補正方法は、シャッタ羽根の種類などを示す機種コードが記載された専用の写真フイルムや、この機種コードを光学的に読み取って補正を行う専用のプリンタを必要とするものであり、コストアップを抑えるという目的に関して、必ずしも有意なものではなかった。
【０００６】
本発明は、上記課題を鑑みてなされたものであって、シャッタ羽根の開閉動作に起因する露光ムラを、安価に抑えることができるカメラを提供することを目的とする。
【課題を解決するための手段】
【０００７】
上記課題を解決するため、本発明のカメラは、露光開口を覆う閉じ位置と露光開口を露呈させる開き位置との間で回動自在に軸着されるシャッタ羽根と、このシャッタ羽根を前記閉じ位置側に付勢する弾性体と、この弾性体の付勢に抗して前記シャッタ羽根を弾き、前記露光開口を開閉させる駆動部材とからなる蹴飛ばし式のシャッタ機構と、このシャッタ機構によって露光される写真フイルムへの入射光量を調節するフィルタとを備え、このフィルタに、前記シャッタ羽根が前記露光開口を露呈させ始める位置から露呈し終える位置に向かう方向に沿って、光学濃度が徐々に低下する濃度勾配を持たせたことを特徴とする。
【０００８】
なお、前記フィルタは、光が入射する方向から見た前記写真フイルムの直前に配置されることが好ましい。
【０００９】
また、前記写真フイルムを遮光する遮光筒と、この遮光筒内の迷光を遮るフレアストッパとを設け、前記フィルタを、前記遮光筒と前記フレアストッパとによって前記遮光筒内に挟持固定することが好ましい。
【００１０】
また、前記フィルタは、前記露光開口の露呈し始める位置に対応した箇所からの一部分にのみ前記濃度勾配を持つものでもよい。
【００１１】
さらに、前記フィルタは、前記シャッタ羽根の移動にともなう露光時間の変化に応じた前記濃度勾配を持ち、前記写真フイルムの画面四隅の露光量が均一となるように前記入射光量を調節することが好ましい。
【発明の効果】
【００１２】
本発明のカメラによれば、前記シャッタ羽根が前記露光開口を露呈させ始める位置から露呈し終える位置に向かう方向に沿って、光学濃度が徐々に低下する濃度勾配を持つフィルタを設けたので、露光開口が露呈し始める位置では高濃度のフィルタによって入射光量が抑えられ、かつ露呈し終える位置では低濃度のフィルタによって光量が抑えられることなく光が入射するようになる。これによって、露呈し始める位置と露呈し終える位置との間に露光時間の差が生じたとしても、写真フイルムの画面四隅の露光量差が極めて少なくなり、シャッタ羽根の開閉動作に起因する露光ムラが抑えられる。また、写真フイルム自体の露光ムラを抑えるので、専用の写真プリンタなどを用意する必要がなく、露光ムラの防止を安価に実現することができる。
【発明を実施するための最良の形態】
【００１３】
図１は、レンズ付きフイルムユニット（カメラ）２の外観を示す斜視図である。レンズ付きフイルムユニット２は、各種撮影機構が組み込まれたユニット本体３と、このユニット本体３の製造時に装填されるフイルムパトローネ２２（図２参照）と、ユニット本体３の外周に巻き付けられるようにして貼られるラベル４とからなる。ラベル４には、ユニット本体３の各部を露呈させるための開口が形成されている。
【００１４】
ユニット本体３の前面には、撮影レンズ５とファインダ６とが設けられている。また、ユニット本体３の上面には、レリーズボタン７とカウンタ表示窓８とが設けられ、背面には撮影後のフイルム巻き上げに用いられる巻き上げノブ９の一部が露呈している。
【００１５】
図２は、ユニット本体３の構成を示す分解斜視図である。ユニット本体３は、１３５タイプのフイルムパトローネ２２が装填される本体基部２３と、本体基部２３の前面側及び背面側に取り付けられる前カバー２６及び後カバー２７とからなる。フイルムパトローネ２２は、パトローネ２２ａと、写真フイルム２２ｂとからなり、前述のようにユニット本体３の製造時に装填される。なお、フイルムパトローネ２２は、ＩＸ２４０タイプやブローニタイプなどの、その他のタイプを用いるようにしてもよい。
【００１６】
本体基部２３の前面中央には、遮光筒３０が設けられている。この遮光筒３０の周囲には、シャッタチャージ機構、シャッタ機構、フイルム巻き上げ機構、フイルム巻き止め機構、フイルムカウント機構、撮影光学系、ファインダ光学系などが組み込まれている。
【００１７】
図３は、遮光筒３０の周囲に組み込まれたシャッタレリーズ機構や撮影光学系の構成を示す分解斜視図である。遮光筒３０の前面には、矩形状のシャッタ開口（露光開口）３１が形成されている。遮光筒３０の側方には、シャッタ羽根３８を回動自在に支持するピン３９と、バネ（弾性体）４０の一端が掛けられるピン４１とが設けられている。
【００１８】
シャッタ機構を構成するシャッタ羽根３８は、ピン３９に挿通される穴４３ａが形成されたベース部４３と、シャッタ開口３１の前方に配置されて該シャッタ開口３１の開閉を行う羽根部４４と、ベース部４３と羽根部４４とを接続する連結部４５とからなる。ベース部４３には、バネ４０の他端が掛けられるピン４３ｂと、シャッタ駆動レバー（駆動部材）４７によって蹴飛ばされる突出部４３ｃとが設けられている。また、シャッタ羽根３８は、バネ４０に付勢され、遮光筒３０に形成されたストッパ部３０ａと羽根部４４に形成された張出部４４ａとが当接してシャッタ開口３１を塞ぐ閉じ位置（図４（ａ）参照）に保持される。
【００１９】
遮光筒３０の前方には、筒形状の鏡筒５７が形成されたレンズホルダ５６が取り付けられる。鏡筒５７内には、開口５８が設けられており、撮影レンズ５を構成する第１レンズ６０と第２レンズ６１とが収納される。これら第１レンズ６０と第２レンズ６１との間には、絞り開口６２ａが形成された絞り板６２が収められる。レンズホルダ５６の前面には、鏡筒５７に収められた撮影レンズ５などの部品を押さえる押さえ板６５が取り付けられる。
【００２０】
シャッタ羽根３８とともにシャッタ機構を構成するシャッタ駆動レバー４７は、図示を省略したシャッタチャージ機構によって図中矢線Ａと逆方向に回動し、チャージ位置にセットされる。そして、レリーズボタン７の押圧操作に応答して、チャージ解除位置に向けて矢線Ａ方向に回動し、その際にシャッタ羽根３８の突出部４３ｃを蹴飛ばす。シャッタ駆動レバー４７に蹴飛ばされたシャッタ羽根３８は、図４（ａ）に示す閉じ位置から、バネ４０の付勢に抗して矢線Ｂ方向に回動する。回動したシャッタ羽根３８は、図４（ｂ）に示すように、レンズホルダ５６の内面に設けられたストッパーピン５６ａに当接してシャッタ開口３１の全体を露呈させる開き位置まで移動する。開き位置に移動したシャッタ羽根３８は、バネ４０の付勢によって閉じ位置に復帰する。このシャッタ羽根３８の一連の開閉動作によって、写真フイルム２２ｂへの露光が行われる。
【００２１】
図５は、ユニット本体３の内部構成を示す部分断面図である。遮光筒３０には、段差部３０ｂが形成されている。この段差部３０ｂには、被写体光の迷光を遮ってフレアの発生を防ぐフレアストッパ３２と、写真フイルム２２ｂへの入射光量を調節する板状のＮＤフィルタ（フィルタ）３３とが取り付けられる。フレアストッパ３２は、例えば、ネジや爪係止などによって段差部３０ｂに取り付けられ、段差部３０ｂとともにＮＤフィルタ３３を挟持固定する。
【００２２】
図６に示すように、ＮＤフィルタ３３は、段差部３０ｂの開口面積に合わせて矩形に形成されている。また、ＮＤフィルタ３３には、正面（光が入射する方向）から見た際に、右上角部３３ａから左下角部３３ｂに向かって光学濃度が高濃度から低濃度へと徐々に低下する濃度勾配が持たされている。図６（ａ）は、濃度の等しい部分を線で結んで濃度の変化を示した等濃度線図である。この図で示されるように、ＮＤフィルタ３３の濃度勾配は、右上角部３３ａと左下角部３３ｂとを結ぶ対角線３３ｃと、等濃度線とが垂直に交わるようにされている。また、図６（ｂ）は、対角線３３ｃ上での濃度変化を表すグラフである。ＮＤフィルタ３３の濃度勾配は、右上角部３３ａで光学濃度が最大となり、左下角部３３ｂで光学濃度がほぼ０となるように一次直線的に変化する。
【００２３】
次に、上記構成によるレンズ付きフイルムユニット２の作用について説明する。レンズ付きフイルムユニット２で撮影を行う際には、まず、ユニット本体３の背面に設けられた巻き上げノブ９を回して、写真フイルム２２ｂの巻き上げを行う。この巻き上げ操作に連動して、図示せぬシャッタチャージ機構がシャッタ駆動レバー４７をチャージ位置にセットする。
【００２４】
チャージ位置にセットされたシャッタ駆動レバー４７は、レリーズボタン７の押圧操作に応答して、チャージ解除位置に回動し、シャッタ羽根３８を蹴飛ばす。蹴飛ばされたシャッタ羽根３８は、図４（ａ）に示す閉じ位置から図４（ｂ）に示す開き位置に移動し、シャッタ開口３１を露呈させる。シャッタ開口３１が露呈されると、このシャッタ開口３１を介して撮影レンズ５によって結像された被写体光が遮光筒３０内に入り込み、写真フイルム２２ｂを露光させる。開き位置に移動したシャッタ羽根３８は、バネ４０の付勢によって閉じ位置に復帰し、再びシャッタ開口３１を塞ぐ。
【００２５】
ピン３９を軸として回動するシャッタ羽根３８は、閉じ位置から開き位置へと移動する際に、撮影レンズ５側から見たシャッタ開口３１の右上部分から露呈させ始め、最後に左下部分を露呈させる。反対に開き位置から閉じ位置へと復帰する際には、左下部分から閉じ始め、最後に右上部分を閉じる。このため、シャッタ開口３１の右上部分では露光時間が長くなり、左下部分では露光時間が短くなるというように、シャッタ開口３１の面内における各部の露光時間が異なる。こうした露光時間の差は、すなわち露光量の差となるため、写真フイルム２２ｂ上の右上部分から左下部分にかけての露光ムラとなって表れる。
【００２６】
ＮＤフィルタ３３の濃度勾配は、前述のように右上角部３３ａから左下角部３３ｂに向かって光学濃度が徐々に低下する。この濃度勾配の方向は、シャッタ羽根３８の移動方向に沿うように形成されており、その勾配は、シャッタ羽根３８が移動する速度（シャッタ速度）に合わせられている。これによって、露光時間の長いシャッタ開口３１の右上部分ほど入射光の光量が抑えられるようになり、写真フイルム２２ｂの画面四隅の露光量差を極めて少なくすることができるようになる。
【００２７】
なお、シャッタ羽根３８の動作による露光時間の差は、シャッタ羽根３８の形状、シャッタ開口３１の開口面積、シャッタ駆動レバー４７の蹴飛ばし力、及びバネ４０の付勢力などといったシャッタ機構の構成に応じて一義的に決まる。ＮＤフィルタ３３の濃度勾配は、こうしたシャッタ機構の設計値やＮＤフィルタ３３が無い状態での実測値などを基にして、適宜決定すればよい。
【００２８】
例えば、ＮＤフィルタ３３が無い状態で撮影を行った際の、写真フイルム２２ｂ上の各部の露光量が、表１に示すような結果であったとする。なお、表１では、写真フイルム２２ｂの中心を０ＥＶとしたときの周辺各部の露光量（いずれも単位はＥＶとする）の差を示している。
【００２９】
【表１】
2006267691.tif 000003
【００３０】
【表２】
2006267691.tif 000004
【００３１】
表１では、右上部分と左下部分との間に０．５ＥＶの差が生じ、右上部分に対して左下部分の露光量が少ないことが分かる。この差が、シャッタ羽根３８の開閉動作に起因するものである。また、表１では、中心部の露光量が最も大きくされているが、これは撮影レンズ５によって周辺光量が低下する、いわゆるコサイン４乗則などに起因するものである。この特性を示すレンズ付きフイルムユニット２に対して、表２に示すように、右上角部３３ａから左下角部３３ｂに向かって光学濃度が０．５ＥＶ分一次直線的に変化するＮＤフィルタ３３を挿入すると、その結果は、表３及び表４に示すようになる。なお、表３は、表１の結果と表２の補正値とを単純に足し合わせたものであり、表４は、これを中心が０ＥＶとなるようにしたものである。
【００３２】
【表３】
2006267691.tif 000005
【００３３】
【表４】
2006267691.tif 000006
【００３４】
表４に示されるように、ＮＤフィルタ３３を透過させた後には、写真フイルム２２ｂの右上部分と左下部分とが−０．５ＥＶで均一になり、シャッタ羽根３８の開閉動作に起因する露光量の差が補正されたことが分かる。なお、ＮＤフィルタ３３を透過させることによって、全体的に露出がアンダー気味になることが懸念されるが、これは写真プリンタがプリント写真を作成する際に自動的に補正するので特に問題はないが、気になるようであれば絞り板６２の絞り開口６２ａを大きめにしてもよい。
【００３５】
このように本実施形態のレンズ付きフイルムユニット２によれば、遮光筒３０内にＮＤフィルタ３３を設け、このＮＤフィルタ３３にシャッタ羽根３８の移動する方向に沿って光学濃度が高濃度から低濃度へと徐々に低下する濃度勾配を持たせたので、シャッタ羽根３８の開閉動作に起因する露光量の差が抑えられ、露光ムラのない良好な画質のプリント写真を得ることができる。また、写真フイルム２２ｂの段階で露光ムラが抑えられるので、専用の写真フイルムや写真プリンタなどを必要とせず、露光ムラの防止を安価に実現することができる。
【００３６】
また、レンズ付きフイルムユニット２は、現像所で回収された後、循環生産によって各部がリサイクル又はリユースされることが知られている。写真フイルムは現像所で顧客に引き渡されてしまうため、リサイクルもリユースもすることができないが、遮光筒３０内に設けられるＮＤフィルタ３３は、この循環生産でリユースすることが可能である。すなわち、ＮＤフィルタ３３をリユースさせていけば、専用の写真フイルムを用いる場合と比較してさらなるコストダウンを図ることができる。
【００３７】
なお、上記実施形態においては、右上角部３３ａから左下角部３３ｂに向かって光学濃度が徐々に低下するようにＮＤフィルタ３３の濃度勾配を形成しているが（図６参照）、主に補正すべきは、露光時間の長くなるシャッタ開口３１の右上部分であるから、例えば、図７に示すように、右上角部８０ａから中心部８０ｂに向かって光学濃度が徐々に低下する濃度勾配が形成されたＮＤフィルタ８０としてもよい。また、中心部８０ｂに限ることもなく、右上角部からシャッタ羽根３８の動きに合わせて、露光時間に影響の大きい任意の位置までの一部分に濃度勾配を形成するようにすればよい。
【００３８】
また、上記実施形態では、一次直線的に濃度勾配を変化させているが、これに限ることなく、２次曲線的に変化させるなど、シャッタ羽根３８の動きに合わせた任意の勾配とすればよい。但し、任意な曲線の濃度勾配を持つＮＤフィルタよりも、本例で示したような一次直線的に変化する濃度勾配のＮＤフィルタ３３の方が作りやすく、生産性がよいという利点がある。さらに、濃度勾配を形成する方向も右上から左下に限ることなく、シャッタ羽根３８がシャッタ開口３１を露呈させ始める位置から露呈し終える位置に向かう任意の方向に沿って形成すればよい。
【００３９】
なお、上記実施形態では、矩形に成形された板状のＮＤフィルタ３３を、段差部３０ｂとフレアストッパ３２とによって遮光筒３０内に挟持固定するようにしているが、取りつけ位置はこれに限ることなく、シャッタ開口３１の前面や内面に貼り付けたり、円形に成形して鏡筒５７内に収めるようにしてもよい。さらには、板状のＮＤフィルタに限ることなく、シートやフィルム状のＮＤフィルタを用いてもよい。
【００４０】
但し、図５に示すように、絞り板６２の絞り開口６２ａに近づくほど光束が太くなり、ＮＤフィルタ３３上の異なる光学濃度の部分を透過した光が写真フイルム２２ｂに結像されるようになるため、ＮＤフィルタ３３の効果が薄れてしまう。このため、写真フイルム２２ｂの直前にＮＤフィルタ３３を配置することが好ましいが、あまり近すぎるとフイルム巻き上げのときなどに写真フイルム２２ｂが撓んで両者が接触してしまうことが懸念される。従って、ＮＤフィルタ３３を配置する位置は、本例で示すように写真フイルム２２ｂの直前で、かつ両者が接触しない程度に写真フイルム２２ｂから離された位置が好適である。
【００４１】
さらに、上記実施形態では、フラッシュ装置を持たないレンズ付フイルムユニット２を例に説明したが、本発明はこれに限ることなく、例えば、ストロボなどのフラッシュ装置を有するレンズ付フイルムユニットや、絞り値やシャッタ速度などの切り替え機構を有するレンズ付フイルムユニットなどに適用してもよい。さらには、蹴飛ばし式のシャッタ装置を備えたものであれば、写真フイルムの交換を行うことができるカメラにも本発明を適用することができる。
【図面の簡単な説明】
【００４２】
【図１】レンズ付きフイルムユニットの外観を示す斜視図である。
【図２】ユニット本体の構成を示す分解斜視図である。
【図３】シャッタレリーズ機構や撮影光学系の構成を示す分解斜視図である。
【図４】シャッタ羽根の閉じ位置と開き位置とを示す説明図である。
【図５】ユニット本体の内部構成を示す部分断面図である。
【図６】ＮＤフィルタの濃度勾配を示す説明図である。
【図７】ＮＤフィルタの濃度勾配の他の例を示す説明図である。
【符号の説明】
【００４３】
２  レンズ付きフイルムユニット（カメラ）
３  ユニット本体
５  撮影レンズ
２２  フイルムパトローネ
２２ｂ  写真フイルム
３０  遮光筒
３１  シャッタ開口（露光開口）
３２  フレアストッパ
３３  ＮＤフィルタ（フィルタ）
３８  シャッタ羽根
４０  バネ（弾性体）
４７  シャッタ駆動レバー（駆動部材）
【図１】
2006267691.tif 000007
【図２】
2006267691.tif 000008
【図３】
2006267691.tif 000009
【図４】
2006267691.tif 000010
【図５】
2006267691.tif 000011
【図６】
2006267691.tif 000012
【図７】
2006267691.tif 000013